(57)【特許請求の範囲】
【請求項１】
柔軟な乳首（４）、受入ヘッド（３）および寸法安定性のある基礎部（２）を有し、前記乳首（４）が前記受入ヘッド（３）上に配置されている乳首部であって、前記受入ヘッド（３）および前記基礎部（２）が相互に解除可能な差し込み接続で接続され、前記受入ヘッド（３）が前記乳首部を飲料容器（１）上に固定するための固定要素（３０１）を有するとともに、
前記受入ヘッド（３）が前記基礎部（２）への差し込み接続のための複数の突出したプラグ要素（３０）を有し、前記固定要素（３０１）がこの複数のプラグ要素（３０）上に配置され、
前記プラグ要素（３０）が前記受入ヘッド（３）の円周の周りに互いに離れて均等に分布していることを特徴とする乳首部。
【請求項２】
前記受入ヘッド（３）が前記基礎部（２）の中に差し込まれ得る、請求項１に記載の乳首部。
【請求項３】
前記基礎部（２）がその中に前記受入ヘッド（３）が差し込まれ得る少なくとも１つの開口部（２１）を有する、請求項１又は２に記載の乳首部。
【請求項４】
前記差し込み接続がロックされ得る、請求項１〜３のいずれかに記載の乳首部。
【請求項５】
前記受入ヘッド（３）がその円周の周りに均等に分布するように中心的または周辺的に配置された支持体または構造（３４、３６）を有する、請求項１〜４のいずれかに記載の乳首部。
【請求項６】
前記受入ヘッド（３）がワンピースで設計され、寸法安定性を有する、請求項１〜５のいずれかに記載の乳首部。
【請求項７】
前記受入ヘッド（３）が寸法安定性のある基礎体および前記基礎体よりも軟らかい材料で作られた取り付要素を有する、請求項１〜５のいずれかに記載の乳首部。
【請求項８】
前記乳首（４）の円周端（４１）が、前記飲料容器（１）上に使用の正しい位置で嵌合された場合に、受入ヘッド（３）および基礎部（２）の間に固定される、請求項１〜７のいずれかに記載の乳首部。
【請求項９】
前記乳首（４）が前記受入ヘッド（３）の上にかぶせられ、その円周端（４１）が前記受入ヘッド（３）の円周端（３１）の周りに係合し、前記受入ヘッド（３）の円周のシーリング面（３１０）上に着接し（ａｎｌｉｅｇｅｎ）、前記基礎部（２）がこれと相互作用する円周のシーリング面（２７０）を有し、前記乳首（４）が、飲料容器（１）上に正しい使用の位置で嵌合された場合に、これら２つのシーリング面（３１０、２７０）の間に固定される、請求項８に記載の乳首部。
【請求項１０】
前記固定要素がねじ山（３０１）である、請求項１〜９のいずれかに記載の乳首部。
【請求項１１】
前記基礎部（２）が当接部（２９）を有し、これが前記飲料容器（１）に正しい使用の位置で嵌合された場合に、前記飲料容器（１）上の前記基礎部（２）の位置に関して当接部として役立つ、請求項１〜１０のいずれかに記載の乳首部。
【請求項１２】
前記基礎部（２）がその本体としてリング（２）を有する、請求項１〜１１のいずれかに記載の乳首部。
【請求項１３】
柔軟な乳首（４）、受入ヘッド（３）および寸法安定性のある基礎部（２）を有し、前記乳首（４）が前記受入ヘッド（３）上に配置されている乳首部であって、前記受入ヘッド（３）および前記基礎部（２）が相互に解除可能な差し込み接続で接続され、前記受入ヘッド（３）が前記乳首部を飲料容器（１）上に固定するための固定要素（３０１）を有し、
前記基礎部（２）がその中に前記受入ヘッド（３）が差し込まれ得る少なくとも１つの開口部（２１）を有し、
前記乳首（４）の円周端（４１）が、前記飲料容器（１）上に使用の正しい位置で嵌合された場合に、受入ヘッド（３）および基礎部（２）の間に固定されることを特徴とする乳首部。
【発明の詳細な説明】
【技術分野】
【０００１】
本発明は、特許請求項１の前提部に記載の乳首部および特許請求項１５の前提部に記載の飲料容器に関する。
【背景技術】
【０００２】
あかちゃんの哺乳瓶について最も知られている乳首部は、内側のねじ山を有するリングおよびこのリングを通って延在する乳首を有する。乳首は実質的にフラスト円錐形の本体を有し、これは狭い端部で実質的に円筒形のマウスピースに統合する。本体のより広い端部上で一体的に形成されたフランジがあり、これは、ネジ式リングにより、瓶の頚部上で密封して支持する。この部位は高価でなく、洗浄しやすく、かつ扱いやすいが、その可能な変形に関して大きく制限され、その結果、飲む困難のある早産児または乳児の要求を満たすことが特にできない。
【０００３】
特許文献１では、マウスピースと本体の間の移行領域にバルブが挿入されている。
【０００４】
特許文献２は、あかちゃんの瓶のための３つの部分の乳首部を開示している。ここでまた、ネジ式リングおよび乳首が具備されている。この第三の部分はプレートであり、これは瓶の頚部に嵌合されている。乳首は、プレート上に配置され、両方の部分はそれらの位置でネジ式リングによって保持されている。プレートは、開口部を有し、これは、ネジ式リングの回転の位置に依存して、乳首への通路を形成するか、またはネジ式リングによって閉じられる。
【０００５】
特許文献３では、あかちゃんが吸っていない休止中に瓶の中に空気を入れるために類似した配置が用いられる。
【０００６】
特許文献４は、幼児のための乳首を有する飲用カップを記載している。乳首およびバルブ要素はネジ式リングによってカップの蓋の中に保持され、前記ネジ式リングは、外側から乳首のフランジを押し、フランジはバルブ要素上でその内側の表面で支持する。
【０００７】
特許文献５、特許文献６、特許文献７および特許文献８は、ネジ式リングを通って延在し、ネジ式リングによってあかちゃんの瓶上で密封して保持されている乳首を開示している。第三の部分は、それぞれの場合においてバルブ本体であり、これは瓶の頚部上でフランジで支持し、乳首の内部に延在し、その密封位置でネジ式リングによって同様に保持されている。
【０００８】
複雑な構造の乳首部が特許文献９に開示されており、この場合の乳首はまたワンピースネジ式リングによって瓶上に保持されている。
【０００９】
特許文献１０は、ワンピースまたはツーピースの乳首を有し、乳首を受けるための寸法安定性の受入ヘッドを有する乳首部を開示している。ワンピース受入ヘッドは、あかちゃんの瓶または飲用カップの頚部にねじ込まれ得るように、ネジ式リングが具備されている。乳首は、半球形の受入ヘッド上に嵌合され、ネジ式リングで固定されていない。
【００１０】
特許文献１１では、乳首は、瓶の頚部に直接、即ち中間リングなしに、嵌合される。乳首のマウスピースは、挿入部によって強化されている。特許文献１２でも、乳首は、瓶の頚部に直接嵌合される。
【００１１】
特許文献１３は、バルブを有する中間チャンバーがあかちゃんの瓶にねじ込まれる乳首部を開示している。それを通って延在している乳首を有する周知のネジ式リングが、ついでこの中間チャンバーにねじ込まれる。
【００１２】
特許文献１４は、ネジ式リングおよびネジ式リングを通して延在しているツーピース吸引体を有する乳首部を開示している。ネジ式リングは、その内側のねじ山とともに、内側のねじ山および外側のねじ山を有し、その内側のねじ山であかちゃんの瓶の頚部に固定されているアダプター部にねじ込まれる。
【００１３】
それぞれの事例における、これらの周知の解決策は、下記の５つの機能の１つを最適化するが、それらは同時に他の４つの機能の少なくとも１つを損なう；
−最適のミルクの流れ、
−バルブが用いられた場合、特定の予め定められた圧力における信頼できる開閉、
−あかちゃんが吸っていない時の休止中の、最適の通気
−乳首の簡単な固定、および乳首部の残部および瓶からの乳首の簡単な取り外し、および簡単な洗浄、および
−乳首部の適した弾性による、あかちゃんの口との最適の接触面。
【００１４】
周知の解決策は、以下の不利益の１つ以上も有する：
−それらは複雑な構造であり、従って製造が高くつく、
−乳首は、比較的厚い壁を有して設計されねばならず、これは同様に製造をより困難にし、コストが増加し、
−それらは、ただ一つの形状においてだけ使用され得、任意の変形を許さない。
【先行技術文献】
【特許文献】
【００１５】
【特許文献１】ＵＳ  ５  ５５３  ７２６
【特許文献２】ＷＯ  ２００７／０５３８９４
【特許文献３】ＵＳ  ５  ７９１  ５０３
【特許文献４】ＵＳ  ２００４／００３５８１５
【特許文献５】ＵＳ  ２００５／０２２４４４４
【特許文献６】ＵＳ  ２  ５８４  ３５９
【特許文献７】ＥＰ  ０  ３８４  ３９４
【特許文献８】ＥＰ  １  ４１６  ９００
【特許文献９】ＷＯ  ９７／０４７３５
【特許文献１０】ＷＯ  ２００７／１３７４４０
【特許文献１１】ＵＳ  １  ６０５  ４２７
【特許文献１２】ＢＥ  ３８１  ５２３
【特許文献１３】ＵＳ  ７  ２２５  ９３８
【特許文献１４】ＷＯ  ９９／２２６９３
【発明の概要】
【発明が解決しようとする課題】
【００１６】
従って本発明の目的は、それらの形状に関してより柔軟性が大きくそれによって上記の５つの機能が最適化されることを可能にする乳首部および飲料容器を提供することである。
【課題を解決するための手段】
【００１７】
この目的は、特許請求項１の特徴を有する乳首部および特許請求項１５の特徴を有する飲料容器によって達成される。
【００１８】
本発明による乳首部は、柔軟な乳首、受入ヘッドおよび寸法安定性のある基礎部を有する。乳首は受入ヘッド上に配置される。本発明によると、受入ヘッドおよび基礎部は解除可能なプラグ接続によって、相互に接続され、受入ヘッドは、乳首部を飲料容器上に固定するための、例えばねじ山のような留め具または固定要素を有する。
【００１９】
この基本的なコンセプト、即ち、乳首部を３つの部分に分割して得られるモジュール構造、受入ヘッドおよび基礎部間のプラグ接続、および飲料容器へのしっかりした接続を作り出す部分としての受入ヘッドの選択によって、乳首部が非常に柔軟に構成され得る。乳首部の１つの領域の変化が直ちに他の領域またはすべての領域の変化を要するものでない。従って、乳首部の様々な目的および機能は互いに分離され得る。
【００２０】
異なる形の乳首、好適にはワンピースで作られた乳首が受入ヘッドおよび基礎部と共に使用され得る。さらに、異なる形の受入ヘッドは、同じ乳首および基礎部と使用され得る。基礎部の形は変化され得る。これは、すべての場合に新しい検討事項を満たす必要がないので、乳首部の開発および改善を容易にする。開発者はそうすることでデザインの自由度に関してあまりにも制約されずに、代わりにこの基本的なコンセプトに依存し得る。さらに、基本的ダイス、特に、射出成型キャビティーのダイスが再利用され得る。これは新製品の開発および生産コストを低減する。
【００２１】
例えば、受入ヘッドは異なったデザインを有し得る。特に、その表面構造は乳首との相互作用が最適化され得るように非常に柔軟にデザインされ得る。受入ヘッドは堅く、寸法安定性があり得る。しかし、それはまた、堅い材料を用いた本体だけを含み得、かつ軟らかい領域が具備されるか、または本体よりも軟らかい領域が具備される。異なった形の支持体が用いられ得る。これらは、周辺的に、中心的にまたは他の適した任意の位置に配置され得る。支持体および空隙の適した組み合わせが選ばれ得る。これらすべての可能性によって、あかちゃんの口との接触面、特に、乳首部の弾力性が非常に柔軟に構成され得、従って最適化され得る。
【００２２】
弁および通気開口は、多くの異なる場所、例えば、乳首および受入ヘッドの間ならびに受入ヘッドおよび基礎部の間に形成され得る。ミルクのための通り抜け口は、例えば弁隔壁によって閉じられ得る。２つまたはそれ以上のバルブが異なる場所で嵌合されることも可能である。このようにして、特定の予め決められた圧力において信頼性のある開閉が可能である。
【００２３】
通常のプラグ接続は別として、受入ヘッドおよび基礎部は決して互に相互作用できない。しかし、それらはまた、例えば共通の通気口チャンバーまたはミルク回収チャンバーを形成するように、構成され得る。これらの可能な変形により、ミルクの流れは最適化され得、あかちゃんが吸っていない時の休止の間の最適の通気が保証される。
【００２４】
乳首は受入ヘッド上に配置されるので、それは適当な位置に容易に固定され得、ついで再度取りはずされ得る。更に、好適な実施形態において、受入ヘッドおよび基礎部は相互に差し込まれているだけなので、すべての部分は容易に洗浄できる。
【００２５】
更なる利点は、乳首が肥厚壁部分を有する必要がないまたは比較的薄い壁でデザインされ得、したがって製造が高価でないことである。
受入ヘッドは、好適には基礎部に挿入される。
【００２６】
受入ヘッドおよび基礎部の間のプラグ接続は、固定要素上以外の場所に配置され得る。しかし、受入ヘッドは、好適には基礎部へのプラグ接続のための少なくとも１つの突出したプラグ要素を有し、および固定要素または手段、特にねじ山は、この少なくとも１つのプラグ要素上に配置されている。プラグ要素は、完全な円周を有する円形であり得る。然し、好適には、複数の個々のプラグ要素は受入ヘッドの円周に相互に離れるように均等に分布されている。これらは通常の円を形成し、ねじ山が固定要素として用いられた場合は、通常のねじ山を形成する。
【００２７】
プラグ要素は弾力的に作られ得、容器の開口の外径よりも小さな共通の内径を有する。このようにして、これらは、嵌合される間、外側に押され、基礎部を圧する。これは、受入ヘッドおよび基礎部相互に対する固定を増加する。
【００２８】
好適な実施形態において、基礎部は、その中に受入ヘッド、特に、プラグ要素が差し込まれ得る、少なくとも１つの開口部を有する。
【００２９】
プラグ接続は、好適には、それがロックされ得るようにデザインされる。このようにして、組み立てられた状態でない場合であったとしても、部分は相互に嵌合されて保管され得、離れ落ちない。
【００３０】
受入ヘッドは、好適には周囲に配置されその円周に均等に分布され、乳首と相互作用する支持体を有する。乳首部の弾性は、乳首自身が過剰に複雑なデザインの形状を有する必要なしに、このようにして容易に最適化され得る。
【００３１】
好適な実施形態において、受入ヘッドはワンピースでデザインされ、寸法安定性がある。それは好適にはプラスチックで作られ、射出成型操作で製造される。このようにして、製造コストが最小化され得る。
【００３２】
他の好適な実施形態において、受入ヘッドは、寸法安定性の基礎体および基礎体よりも軟らかな材料で作られた取り付け要素を有する。基礎体もまたプラスチックから射出成型操作で安価に製造され得る。より軟らかい領域は、好適には二成分射出成型技術にて射出され得、または二成分射出成型技術で製造され得る。これらは、好適には、シリコン、ゴムまたは熱可塑性エラストマー（ＴＰＥ）で作られる。
【００３３】
好適な実施形態において、乳首の円周端は、その部位が飲料容器上での使用の正しい位置に嵌合される場合、受入ヘッドおよび基礎部の間に固定される。このようにして、容易にデザインされ得、容易に、適所に固定され、取り外され得る。乳首が、容器および乳首部の間に固定されず、その代わりに乳首部自身の内部に固定されるのが有利である。固定は、その部位が飲料容器上に装着される前であってもなされ得る。しかし、乳首部が飲料容器上に固定されている場合にだけ、例えば、相互にそれらの相対的な位置に固定されている受入ヘッドおよび基礎部によってなされるのが好適である。
【００３４】
乳首は、好適には受入ヘッドの上にかぶせられ、ここで、その円周端は、受入ヘッドの円周の固定端の周りに係合し、受入ヘッドの円周のシーリング面に着接する（ａｎｌｉｅｇｅｎ）。基礎部は、これと相互作用する円周のシーリング面を有し、乳首は飲料容器上での使用の正しい位置に取り付けられた場合、これらの２つのシーリング面の間に締め付けられている。締め付けはこのように受入ヘッドおよび基礎部の相対位置を相互に固定する時に実施され得る。この配置は、受入ヘッドおよび基礎部の間のプラグ接続が既に確立された後であっても、それが固定される前に利用できる十分な遊びがあれば乳首を取り付けることができるという利点を有する。
【００３５】
「乳首の固定」および「乳首および受入れ部位間の気密性の接続の確立」の２つの機能が２つの異なる場所で、したがって相互に離れて達成されることが利点である。内側のスカートは、気密性に重要であり、円周のフランジは固定に重要である。それによって、乳首およびあかちゃんの哺乳瓶の間の固定した接続に関する標準の実施が単純化される。
【００３６】
固定要素が飲料容器上に置かれた場合、固定要素が、飲料容器の対応するねじ山に係合されるねじ山であれば、受入ヘッドおよび基礎部はネジ式接続の形成によって単純に相互に対して固定される。受入ヘッドは好適には、内側ねじ山を有し、容器の頚部は外側ねじ山を有する。基礎部は、容器に対する基礎部の更なる動きを妨げる当接部を有する。当接部は、例えば基礎部の上部支持面の形態を取り、その支持面で基礎部は容器の開口の上部端上に載る。
【００３７】
基礎部は、好適には通り抜け口を有するリングの形態の本体を有する。これは洗浄を容易にし、製造を簡単にする。
【００３８】
他の実施形態において、基礎部および受入ヘッドの間に通気口チャンバーがあり、この通気口チャンバーは、少なくとも１つの入口開口を介して環境と連通し、使用の正しい位置において、少なくとも１つの出口開口を介して飲料容器の内部に接続されている。このようにして、通気は永久的に保証される。更に、通気を最適化するために、少なくとも１つの弁がこの領域に配置され得る。
【００３９】
好適な実施形態において、蓋および閉鎖キャップが存在する。これによって、基礎部、受入ヘッドおよび乳首が組み立てられ、両側から閉じられ得る。このようにして、この部位は衛生的に包装されて販売され得る。しかしながらこのような方法でそれぞれの洗浄後に衛生的にシールして、保管することもできる。それによって、蓋は乳首の上にかぶせられ、閉鎖キャップは、反対側で基礎部および受入ヘッドと接続される。
【００４０】
本発明の乳首部は、容器の開口が乳首部の固定要素に適応される限り、任意の形の飲料容器に使用され得る。好適な利用分野は、あかちゃん用の哺乳瓶の乳首部または幼児用の飲用カップまたはビーカーの乳首部である。他の利用分野は、看護、老齢者またはスポーツで使用される種類の飲料容器である。
【００４１】
更に有利な実施形態は従属特許請求項で述べる。
【図面の簡単な説明】
【００４２】
本発明の主題を添付の図面に描かれた好適な説明のための実施形態を基に以下に説明する。ここで、同じ部分は同じ参照番号で示され、そこで：
【図１ａ】は、第一の実施形態による母乳瓶とともに示した本発明の乳首部の分解側面図を示す；
【図１ｂ】は、図１ａによる母乳瓶を有する乳首部を通る縦断面を示す；有
【図１ｃ】は、図１ａによる母乳瓶を有する乳首部の透視図を示す；
【図２ａ】は、第二の実施形態による母乳瓶とともに示した本発明による乳首部の分解側面図を示す；
【図２ｂ】は、図２ａによる母乳瓶を有する乳首部を通る縦断面図を示す；
【図２ｃ】は、図２ａによる母乳瓶を有する乳首部の透視図を示す；
【図３ａ】は、第三の実施形態による母乳瓶とともに示した本発明による乳首部の分解側面図を示す；
【図３ｂ】は、図３ａによる母乳瓶を有する乳首部を通る縦断面図を示す；
【図３ｃ】は、図３ａによる母乳瓶を有する乳首部の透視図を示す；
【図４ａ】は、第四の実施形態による母乳瓶とともに示した本発明による乳首部の分解側面図を示す；
【図４ｂ】は、図４ａによる母乳瓶を有する乳首部を通る縦断面図を示す；
【図４ｃ】は、図４ａによる母乳瓶を有する乳首部の透視図を示す；
【図５】は、第五の実施形態による母乳瓶とともに示した本発明による乳首部の分解側面図を示す；
【図６】は、       母乳瓶および蓋を有する本発明の乳首部の分解図を示す；
【図７】は、閉鎖キャップを有する図６による乳首部の透視図を示す；および
【図８】は、図７による閉鎖キャップの透視図を示す。
【発明を実施するための形態】
【００４３】
図１ａから１ｃにおいて、本発明による乳首部２、３、４の第一の説明のための実施形態をあかちゃん用の母乳瓶１とともに示す。
【００４４】
あかちゃん瓶１は、実施例のためだけに示されている。他の種類及び形の飲料容器も本発明の教示に従う乳首部と一緒に使用され得る。しかし、それらは好適には外側ねじ山を有する容器頚部を有する。
【００４５】
あかちゃん瓶は飲料液を受ける容器本体１０を有し、当該本体１０は、より小さな直径の頚部１１まで次第に細くなる。外側のねじ山１２は頚部１１上に一体的に形成される。
【００４６】
本発明による乳首部は基本的に３つの部分から構成される：基礎部２、受入ヘッド３および吸引体または乳首４である。基礎部２は、好適にはポリプロピレン（ＰＰ）またはポリアミドで作られ、受入ヘッド３はＰＰまたはポリアミド、もしくはＰＰまたはポリアミドとシリコン、ゴムまたはＴＰＥの組み合わせで作られる。乳首４に対して、好適にはシリコン、シリコン系プラスチック、ゴムまたはＴＰＥが使用される。
【００４７】
基礎部２は、寸法安定性であり、堅い材料で作られる。それは、主として、円周の閉じた外側ジャケットを有する環状体２０から構成され、これは好適には、乳首部を容器１上に取り付けるとき及び容器から取り外すときに、それが回転リングとして用いられることを可能にするために十分な握りを提供する。
【００４８】
これらの実施例の環状体２０は、リングの直径より実質的に小さい半径方向の厚みを有する。この実施例では、中央に通り抜け口２４があり、容器１の内部を外側に接続する。
【００４９】
少なくも１つの開口部２１が、環状体２０の円周端に配置される。ここで、３つの開口部２１があり、これらは、その周囲領域において環状体２０の円周の周りに均等に分布している。開口部は、環状体２０の半径に対応して湾曲している。
【００５０】
開口部２１は、肥厚壁領域２２がそれらの間に存在するように、環状体２０の内部壁に延在する。向かい合う壁領域の間の距離（環状体２０の中央点を通って測定された）は、容器１のねじ山１２の外部直径に等しいかまたは好適には大きい。これらの肥厚壁領域２２は、容器頚部１１に向けられたそれらの内部面上で好適には平坦である。特に。それらはねじ山を持たない。開口部２１によって薄くされた壁領域は、少なくとも１つの点で、この場合は一周する締め付けリブ２１０を有する。
【００５１】
容器頚部１１とは反対側のベースリング２の最上面上に、上向きに突出した円周の外側シール端２７がある。これは、好適には、ベースリング２の最上周囲端によって形成される。それは、円周の、平坦で窪んだ外側シール表面２７０によって半径方向内側に隣接される。この外側シール表面は、好適にはベースリング２の長手方向中央軸にほぼ垂直に延在する。それは好適には、開口部２１に対して半径方向および接線方向の両方向に延在する。そうすることにより、それはまた少なくとも部分的に半径方向の開口部２１の間の領域を埋める。
【００５２】
外側シール表面２７０に隣接してまたは離れて、同様に上向きに突出している内部の円周のシール端２８がある。開口部２１は、従って第一および第二のシール端２７、２８の間に位置している。この説明のための実施形態において、内側シール端２８は通り抜け口２４を制限する。このシール端２８は好適には、外側に通じる少なくとも１つの通気開口２８１によって遮断される。外側への通路は、例えば、母乳瓶１への緩やかなねじ山接続を介して通じ得る。
【００５３】
ここではダックビルバルブ（ｄｕｃｋｂｉｌｌ  ｖａｌｖｅ）である通気弁２３は、好適には通り抜け口２４に配置される。それは同様に、基礎部２の残部とともにワンピースで形成され得る。しかし好ましくは、その留め具だけを１成分または多成分射出成形操作で一体的に形成し、バルブフラップまたはバルブチューブはフィルムから作り、ついで取り付ける。しかしながら、二成分射出成形操作で一体的に形成することもできる。通気弁２３は容器頚部１１に対して内向きに突出している。その長さは、高々密封リング２の幅に対応し、したがって、密封リングから下に突出しない。
【００５４】
この基礎部２は、容器頚部１１上に置かれ得るが、それは、容器頚部に対し位置は固定されず、特に回転に関して固定されない。下側当接部２９が存在し、容器頚部１１が基礎部２を通過できる程度、即ち基礎部２が容器頚部１１を滑り降り得る程度を制限する。ここに示した実施例において、当接部は、ベースリング２の上部領域における内部支持面２９である。この支持面２９は、内側シール端２８および肥厚壁領域２２の接続によって形成される。当接部２９の他の種類、例えば、突出している突起またはリブもまた可能である。
【００５５】
受入ヘッド３は、同様に環状に、好適には回転対象的にデザインされ、中央通り抜け口３２を有する。それは基本的に２つの領域から構成されている。下部領域は、少なくとも１つのプラグ要素で形成され（この場合は３つのプラグ要素３０）、これは円周の周りに均等に分布している共通のジャケットの部分を形成する。プラグ要素３０は内部面上に、共通の内側のねじ山３０１を形成する。プラグ要素３０の少なくとも１つが、その外側面に締め付けリブ３３を有する。飲料容器１が対応する内側のねじ山を具備されている場合、内側のねじ山の替わりに、外側ねじ山が存在することも可能である。
【００５６】
受入ヘッド３は、基礎部２の中に挿入され得、プラグ要素３０は開口部２１に係合している。そうすることで、２つの締め付けリブ２１０、３３は互いにマッチし、受入ヘッド３がついで基礎部から落ちることを防ぐ。プラグ要素３０の長さは、基礎部２のほぼ下縁まで延在するが、下縁をこえて突出しないのが好適である。
【００５７】
しかし、受入ヘッドおよび基礎部２をそれらの共通の長手方向の中心軸の方向に僅かに離して引くことにより、締め付けリブ２１０、３３の抵抗は克服され得、これらは互いに通過する。プラグ要素３０が僅かに弾力的に設計された場合、解除が容易になる。弾力性は、例えばプラグ要素３０の厚み、即ち材料の厚み、の適切な選択によって達成され得る。
しかし、２つの部分は、それらが容器１にねじ込まれていない場合にのみ、相互に離され得る。
【００５８】
受入ヘッド３の上部領域は、任意の所望の方法でデザインされ得る。それは好適には、周辺的におよび／または中心的に配置され、および下記の吸引体または乳首４と相互作用する支持体または構造３４、３６を有する。この実施例において、周辺支持構造３４は、円周の周りに均等に分布し、周辺領域に配置されている支持翼３４０によって形成される。これらは上向きにおよびペダルのように斜め内向きに突出する。この実施例において、これらはそれぞれ実質的に長方形であり、それらの端は丸い。これらの支持翼３４０は、好適には堅い。これらは弾力性、非弾力性または非常に僅かに弾力性に作られ得る。これらは特に受入ヘッドの残部と共にワンピースで製造され、射出成形操作または他の適した製造法で製造される。しかし、支持翼３０はプラグ要素３０よりも軟らかい材料でも作られ得る。しかし、それらが比較的軟らかくても、それらは好適には寸法安定性である。
【００５９】
支持翼３４０の下、即ち、受入ヘッド３の上部から下部までの移行領域において、周辺外側シール表面３１０を有する突出した円周の固定端３１が、基礎部２および容器１の方に向けられた下側にある。このシール表面３１０は平坦であり、受入ヘッド３の長手方向の中心軸に対してほぼ直角に延在する。
【００６０】
乳首４は、フラスト円錐形本体４０およびこの本体の上に一体的に形成されたマウスピース４２を有する。マウスピース４２は、本体４０と比較して先細の外形を有する。マウスピース４２は、好適には周知の方法で、中空シリンダー、半球、帽子状構造または円錐台としてデザインされる。外部および／または内部の隆起、例えばノブまたはリブが存在され得、また窪み、例えば空洞または溝もまた存在され得る。内部および／または外部表面は平坦であり得る。例えば、軸方向に延在したリブ、半径方向に延在したリブ、斜めに延在したリブまたは歯車のように互いにかみ合ったリブを用いることが可能である。同じことが溝に当てはまる。ここに示した実施例において、リブの形をした内部構造４４が存在する。本体４０の外部および／または内部表面も平坦でもあり得るし、または構造化され得る。
【００６１】
吸引開口４３は、マウスピース４２に存在し、好適には自由端の最先端に存在する。組み立てられた状態において、この吸引開口４３は、あかちゃんが例えば紅茶、水またはミルクなどの飲み物をこの開口を通してとれるように、受入ヘッド３および基礎部２の通り抜け口３２、２４を介して容器の内部に接続される。
【００６２】
本体４０は、半径方向に内側に向けられたフランジ４１を提供するためにその下端で内側に湾曲している。乳首４は、その本体４０とともに受入ヘッド３の支持翼３４０の上にかぶせられ、受入ヘッド３の上部は乳首４で包囲される。フランジ４１は、受入ヘッド３の上部領域及び下部領域の間の突出端の裏側で係合し、受入ヘッドの外側シール面３１０に着接する（ａｎｌｉｅｇｅｎ）。
【００６３】
乳首４は、従って受入ヘッド３に嵌合され得、部分的にその上にかぶさる。受入ヘッド３は、ついで基礎部２の中に差し込まれ得る。受入ヘッド３は、基礎部２が自由であれば、基礎部２の中に差し込まれ得るが、それが既に容器頚部１１上に位置している場合も差し込まれ得る。基礎部２は、受入ヘッド３に対して軸方向にまだ僅かに動かされ得るので、受入ヘッド３および基礎部２が結合された時だけ、乳首４も受入ヘッド３の上に選択的にかぶせられ得る。
【００６４】
容器頚部１１上で、基礎部２または受入ヘッド３を回転することで、２つのねじ山、即ち、外側ねじ山１２および内側ねじ山３０１が相互に係合する。受入ヘッド３はねじ山に沿って下方に動く。これと共に、基礎部が、その下側当接部まで下に引かれる。ここに記載した実施形態において、これは、基礎部がその上部の内部支持面２９で容器頚部１１の上部端上に当たることを意味する。基礎部２および受入ヘッド３は、容器１上に固定され、回転に関して相互に対して固定される。このようにして、基礎部２の外側シール表面２７０は、受入ヘッド３の外側シーリング表面３１０に対して圧される。これらは乳首４のフランジ４１を固定し、したがって、乳首４、受入ヘッド３および基礎部２の間の液密性および気密性接続を保証する。デザインによって、乳首４の異なる形の下部端４１も２つの部分２、３の間で密閉的に固定され得る。
【００６５】
瓶１が、もはや用いられていない場合、基礎部２は、基礎部２および受入ヘッド３の間の回転防止ロックも同じく開放されるように再度回転され得る。基礎部２は軸方向に移動可能であるから、フランジ４１は開放され、乳首４は、受入ヘッド３から取り外され得る。受入ヘッド３および基礎部２の間のプラグ接続は、ついで開放され得る。３つの部分はいま個別の部分として洗浄され得、適切な場合、消毒され得る。
【００６６】
この実施形態は、比較的単純なデザインを有し、したがって洗浄が容易で、製造が安価である利点を有する。
【００６７】
乳首部の第二の実施形態を図２ａから２ｃに示す。図１ａから１ｃを参照して上に記載したものと類似したデザインである。同じ部分は、従ってここではそれ以上詳細に言及または記載しない。下に記載の実施形態に対しても同じことが適用される。
【００６８】
第一の説明のための実施形態と対比して、受入ヘッド３および基礎部２は、より小さな直径の通り抜け口３２、２４を有する。基礎部２において、内側切頂錐体２５は、内側シール端２８内および上部領域に一体的に形成される。その側面は、直線的または曲線的であり得る。それは環状体２０の上側に突出し、受入ヘッド３に対して上向きに延在する。通り抜け口２４は、好適には最上部領域、好適には平坦化された先端に配置される。この先端は、それが上部シール端２４０を形成するように円筒形のジャケットを有し得、通り抜け口２４の上側に延在し得る。平坦な表面２４１は、このシール端２４０の内部に位置する。
【００６９】
内側切頂錐体２５の下部領域において、および内側シール端２８に隣接して、円周の内側シール表面２８０が存在する。それは、好適には基礎部２の長手方向中央軸に直角に延在する。
【００７０】
内側切頂錐体２５の側面に配置されて、容器の内部に対して軸方向に内向きに突出する、ここで再度ダックビルバルブである通気弁２３がある。
【００７１】
その内部において、受入ヘッド３は、乳首４に対して上方へ突出し、その平坦化された先端に通り抜け口３２が配置された外側切頂錐体３５を有する。切頂錐体３５の最上部領域は、円周の溝３５０の範囲を決めるビーズによって囲まれている。
【００７２】
弁、この場合、隔壁３２０が、外側切頂錐体３５の先端の内部に配置される。それは、通り抜け口３２を閉じる。
【００７３】
乳首４は、軸方向内側に突出し、下部領域、半径方向内側に突出するフランジ４６０または対応するビーズに終わるスカート４６を有する。スカート４６は、マウスピース４２および本体４０の間の移行領域に配置される。
【００７４】
マウスピース４２は、内側に向けられたノブを有する。しかし、第一の実施例のように。平坦な表面または異なって構成された表面構造を有し得る。
【００７５】
乳首４が、受入ヘッド３の上にかぶせられる場合、それは受入ヘッド３の上部領域の周りにその下部フランジ４１で係合するだけではない。スカート４６は、更に外側切頂錐体３５の上部領域を囲み、そのフランジ４６０は、溝３５０に係合し、液密接続を形成する。
【００７６】
受入ヘッド３が基礎部２の中に差し込まれる場合、外側切頂錐体３５は、内側切頂錐体２５を囲み、２つの通り抜け口２４、３２は好適には、長手方向中央軸において互いに同一平面上にある。表面２４１は、隔壁３２０のための弁座を形成する。通気弁２３は、２つの切頂錐体２５、３５の間の円周のギャップ５の中に通じ、このギャップ５は、２つの切頂錐体２５、３５が、同じ傾斜を有さない事実によって形成される。このギャップは通気チャンバーを形成する。少なくとも１つの通気開口または開放口２８１は好適には、このチャンバーから外側に通じる。
【００７７】
この第二の実施形態は、マウスピース４２に向かって突出する中央支持体、即ち、外側切頂錐体３５を有する。このようにして、マウスピースは、最適に支持される。さらに、それは様々な弁が具備され得る。この弁の存在は、任意であり、強制的でない。更に、これらの２つの弁の１つだけが用いられ得ることもまた可能である。異なって構成される弁もまた用いられ得る。
【００７８】
図３ａから３ｃによる実施形態において、内側切頂錐体２５は、基礎部２の内部領域に位置するが、この場合、円筒状支持乳首２６における最上部で終了する。通り抜け口２４は、支持乳首２６に配置される。例えば、それは最上部においてまたは側面上に配置され得る。シール端およびシーリング表面も、好適には、既に記載された２つの実施例のように存在する（ここでは、全部に参考番号を付けて示してはないが。）。
【００７９】
堅い支持翼３４０の代わりに、受入ヘッド３は支持クッション３４１を有する。これらは、一様に、周辺領域における円周の周りに均等に分布され上向きに、配向される。中央支持構造３６は中央で上向きに突出する。その基盤は、空洞のクッションであり、ここでは、フィンガーベース３６０である。ここで、ラメラまたは支持フィンガー３６１と呼ばれる伸張要素がそれから突出する。支持クッション３８、フィンガーベース３６０および支持フィンガー３６１は好適にはプラグ要素３０および受入ヘッド３の残部よりも軟らかい材料で作られる。それらは、好適には、シリコン、ゴムまたはＴＰＥで作られる。受入ヘッド３の製造中、それらはその本体上に射出成形され得る。
【００８０】
第二の説明のための実施形態における外側切頂錐体３５の平坦化された先端と同様、フィンガーベース３６０は、乳首４のスカート４６のフランジ４６０を受けるための溝を具備され得る。更にその内部に、支持フィンガー３６１に隣接して弁隔壁３２０が配列され得、その弁座は基礎部２の支持乳首２６によって形成されている。
【００８１】
そのマウスピース４１の内部において、乳首４は、空洞またはノブ４４を有する。ここでは、他の内部構造または平坦な表面もまた可能である。
【００８２】
この説明のための実施形態において、受入ヘッド３および乳首４の間の相互作用は、マウスピース４１まで起こる。さらに、軟らかく、丸い支持クッション３４１は、第一の２つの実施例の支持翼３４０と比べて、幼児の口の中または上で他の感覚を許す。
【００８３】
図４ａから４ｃは、第４の説明のための実施形態を示す。基礎部２は、図２ａから２ｃによる、第二の実施形態のそれに対応するが、ダックビルバルブはない。しかし、内部の堅い切頂錐体２５の１つの側面に、挿入開口２５１があり、これを通って通気弁３８が、押され得、従って位置に保持される。通気弁３８は、この場合もやはり、逆止め弁（Ｒｕｅｃｋｓｃｈｌａｇｖｅｎｔｉｌ）、例えば、ダックビルバルブである。
【００８４】
ここで再び、上記のシール端およびシーリング表面または先の説明のための実施形態中のような類似物が存在する（ここでは、全部に参考番号が付けられていないが。）。
【００８５】
受入ヘッド３は、やはり、堅い支持翼３４０を有する。外側の、同様に堅い切頂錐体３５は中央領域に配置され、ここでは上向きに突出した煙突形内側支持３６２と共に中央支持構造３６に統合する。この内部支持３６２は、長手方向軸に対して平行に延在する縦開口部３６３を有する。
【００８６】
弁隔壁３２０は、やはり縦開口部３６３の下の内部支持３６２の中に配置される。
【００８７】
吸引体４のマウスピース４１の内側は、構造がなく、平坦である。乳首４は、スカート４６およびフランジ４６０を含む。
【００８８】
乳首４が、受入ヘッド３の上にかぶせられると、スカート４６は、内部支持３６２の基底上にそのフランジ４６０で密封して着接する（ａｎｌｉｅｇｅｎ）。
【００８９】
図５は、第五の説明のための実施形態を示す。ここでは、受入ヘッド３は、ただ一つのプラグ要素３０を有する。直径方向と反対側上に配置されたヒンジ３０２があり、基礎部２の対応する切り出しに係合する。そのため、受入ヘッド３および基礎部２が相互に完全に分離されなくとも、解除可能なプラグ接続となっている。これらは、オープン位置においてでも、一緒に洗浄され得る。
【００９０】
これらの形状においては、変形が可能である。例えば、乳首４は、半径方向外側に突出する内部フランジを有し得る。このフランジは、受入ヘッド３の通り抜け口３２の中に接続され得、密着した接続を形成する。
【００９１】
上記記載の乳首部は、蓋および閉鎖キャップを設けてもよい。図６には、本発明によるこのような乳首部を蓋７とともに説明のために示す。蓋７は、乳首４を被い、基礎部２を形状的に嵌合するように包含する。これは、図７に示される。図８は閉じた底部８０および見えない内側ねじ山を有する閉鎖キャップ８を示す。閉鎖キャップ８は、一方では、あかちゃんの哺乳瓶用の閉鎖キャップとして用いられ得る。他方、基礎部２の瓶の側の端部に挿入され、受入ヘッド３のプラグ要素３０上に差し込まれ得る。このようにして、乳首部は、すべての側から閉じられる。こうして、乳首部を衛生的に包装して、保管及び輸送することができる。
【００９２】
上記の実施例から判るように、基礎部、受入ヘッドおよび乳首は、多様なデザインで形成され得る。上記の実施例は、そのすべてが、モジュラー型３部分デザイン、受入ヘッドおよび基礎部の間の解除可能なプラグ接続、および受入ヘッドを用いた容器への固定という発明のコンセプトを有する考えうる変形の一部でしかない。
【００９３】
更に、記載のおよび図に示された支持構造及び乳首も、当該の技術により様々に設計された乳首部において、一緒にまたは別個に用いることができる。特に、それらは、別々になる基礎部がなく、基礎部に差し込みが可能な受入ヘッドのない乳首部に用いられ得る。これらの支持構造および乳首は、ここで独立した発明として同様に請求される。更に、他の乳首部も、閉鎖ユニットとして保管するために、本発明による閉鎖キャップおよび蓋を用いて閉じられ得る。ここでは、これも、独立した発明として請求される。
【００９４】
本発明による乳首部は、個々の部分の形状を変える可能性を広げ、従ってそれらの個々の機能の最適化を可能とする。
【符号の説明】
【００９５】
１            容器
１０          容器本体
１１          容器頚部
１２          外側ねじ山
２            基礎部
２０          環状体
２１          開口部
２１０        締め付けリブ
２２          肥厚壁領域
２３          通気弁
２４          通り抜け口
２４０        上部シール端
２４１        平坦な表面
２５          内側切頂錐体
２５０        周縁
２５１        挿入開口
２６          支持乳首             
２７          外側シール端
２７０        外側シール面
２８          内側シール端
２８０        内側シール面
２８１        通気開口
２９          下側当接部
３            受入ヘッド
３０          プラグ要素
３０１        内側ねじ山
３０２        ヒンジ
３１          固定端
３１０        外側シール面
３２          通り抜け口
３２０        弁隔壁
３２１        フランジ
３２２        弁開口
３３          締め付けリブ
３４          周辺支持構造
３４０        支持翼
３４１        支持クッション
３５          外側切頂錐体
３５０        溝
３６          中央支持構造
３６０        フィンガーベース
３６１        支持フィンガー
３６２        煙突形内側支持
３６３        縦開口部
３８          通気弁
４            乳首
４０          本体
４１          フランジ
４２          マウスピース
４３          吸引開口
４４          内部構造
４６          スカート
４６０        フランジ
７            蓋
８            閉鎖キャップ
８０          底部
【図１ａ】
0005612569.tif 000002
【図１ｂ】
0005612569.tif 000003
【図１ｃ】
0005612569.tif 000004
【図２ａ】
0005612569.tif 000005
【図２ｂ】
0005612569.tif 000006
【図２ｃ】
0005612569.tif 000007
【図３ａ】
0005612569.tif 000008
【図３ｂ】
0005612569.tif 000009
【図３ｃ】
0005612569.tif 000010
【図４ａ】
0005612569.tif 000011
【図４ｂ】
0005612569.tif 000012
【図４ｃ】
0005612569.tif 000013
【図５】
0005612569.tif 000014
【図６】
0005612569.tif 000015
【図７】
0005612569.tif 000016
【図８】
0005612569.tif 000017